(57)【要約】【課題】玉払出装置及び玉導入路内に玉を残存することなく完全に抜き取ることのできる玉抜き方法及び玉払出装置を提供する。【解決手段】ローター２及び玉導入路４内に残留している玉を、玉導入路４の下端部に玉抜き弁７、８を垂設してローター２の側面２５方向に押し出したうえに、この玉をローター２の側面２５に設けた玉抜き通路６を通過させて外部に排出する。なお、玉抜き弁７、８を玉導入路４の下端部の側面に対向させて垂設するとともに、該玉抜き弁７、８を横方向に押し出すための玉抜きレバー９を設けて、玉抜きレバー９を作動させて玉抜き弁７、８を押出し玉導入路４と玉抜き通路６とが連通する状態と、玉抜きレバー９を戻して玉抜き弁７、８を退却させ玉導入路４と玉払出路５とが連通する状態とに切替え自在とする。【選択図】　　図１１
2004097539.tif 000002
【特許請求の範囲】
【請求項１】
玉を玉払出路に送り出すローター、及びローターに玉を供給する玉導入路内に残留している玉を、玉導入路の下端部に垂設した玉抜き弁によりローターの側面方向に押し出したうえに、この玉をローターの側面を通過させて外部に排出することを特徴とするパチンコ機の玉抜き方法。
【請求項２】
玉導入路から受け入れた玉をローターの回転により玉払出路に送り出す玉払出装置であって、ローター及び玉導入路内に残留している玉をローターの側面方向に押し出すための玉抜き弁を玉導入路の下端部に垂設するとともに、ローターの側面には押し出された玉を排出するための玉抜き通路を設けたことを特徴とするパチンコ機の玉払出装置。
【請求項３】
玉導入路の下端部の側面に一対の玉抜き弁を対向させて垂設するとともに、該玉抜き弁をローターの側面方向に押し出すための玉抜きレバーを設けて、玉抜きレバーを作動させて玉抜き弁を押出し玉導入路と玉抜き通路とが連通する状態と、玉抜きレバーを戻して玉抜き弁を退却させ玉導入路と玉払出路とが連通する状態とに、切替え自在としたことを特徴とする請求項２に記載のパチンコ機の玉払出装置。
【請求項４】
一対の玉抜き弁を一つの玉抜きレバーで連動操作して、玉導入路と玉抜き通路又は玉払出路とを連通させるに必要な側の玉抜き弁を、玉抜きレバーにより係止、固定するようにしたことを特徴とする請求項２に記載のパチンコ機の玉払出装置。
【請求項５】
ローターの支軸を筐体内の壁面に軸着して、ローターの側面を玉抜き通路の内側側面として用いたことを特徴とする請求項４に記載のパチンコ機の玉払出装置。
【請求項６】
ローターの幅を玉半分を超える程度の幅とするとともに、ローターの支軸先端部をローターの側面を突出しない長さに抑えて、玉抜き通路の外側側面とローターの側面との間に、玉１個が通過可能な隙間を形成して玉抜き通路を設けたことを特徴とする請求項５に記載のパチンコ機の玉払出装置。
【発明の詳細な説明】
【０００１】
【発明の属する技術分野】
本発明は、パチンコ機内に残留している玉を完全に抜くための、パチンコ機の玉抜き方法及び玉払出装置に関するものである。
【０００２】
【従来の技術】
【特許文献１】特開平１１−３０００１９号公報、
【０００３】
パチンコ機の遊技盤の裏面には玉払出装置が配設されているが、この玉払出装置として、例えば、特開平１１−３０００１９号公報にはローター式の玉払出装置が開示されている。また、発明者らは先にローター式の玉払出装置を特願２００２−７２４８５号として出願した。この発明において、玉は玉導入路からローターの玉受け凹部に送り込まれて、このローターが回転することによって１球ずつ玉払出路に送出されるが、このような玉払出装置においては、新台入れ替え時などに玉タンクや玉導入路に残っている玉をローターの回転軸と直交する方向に抜くための玉抜き弁が玉導入路の途中に設けられている。しかし、従来は残っている玉を完全に抜くことは困難で、数個程度が玉導入路内に残留することが普通であった。特にローターの玉受け凹部に入り込んだ玉を抜くことは不可能なことであって、その分玉在庫数を正確に管理できず、又台交換時には玉を無駄に消費していた。
【０００４】
【発明が解決しようとする課題】
本発明は上記した従来の問題点を解決し、玉払出装置及び玉導入路内に残存している玉を完全に抜き取ることのできる玉抜き方法及び玉払出装置を提供するためになされたものである。
【０００５】
【課題を解決するための手段】上記の課題を解決するためになされた本発明のパチンコ機の玉払出方法は、玉を玉払出路に送り出すローター、及びローターに玉を供給する玉導入路内に残留している玉を、玉導入路の下端部に垂設した玉抜き弁によりローターの側面方向に押し出したうえに、この玉をローターの側面を通過させて外部に排出することを特徴とするものである。
【０００６】
また、本発明のパチンコ機の玉払出装置は、玉導入路から受け入れた玉をローターの回転により玉払出路に送り出す玉払出装置であって、ローター及び玉導入路内に残留している玉をローターの側面方向に押し出すための玉抜き弁を玉導入路の下端部に垂設するとともに、ローターの側面には押し出された玉を排出するための玉抜き通路を設けたことを特徴とするものである。
【０００７】
なお、玉導入路の下端部の側面に一対の玉抜き弁を対向させて垂設するとともに、該玉抜き弁をローターの側面方向に押し出すための玉抜きレバーを設けて、玉抜きレバーを作動させて玉抜き弁を押出し玉導入路と玉抜き通路とが連通する状態と、玉抜きレバーを戻して玉抜き弁を退却させ玉導入路と玉払出路とが連通する状態とに、切替え自在とすることができ、また、一対の玉抜き弁を一つの玉抜きレバーで連動操作して、玉導入路と玉抜き通路又は玉払出路とを連通させるに必要な側の玉抜き弁を、玉抜きレバーにより係止、固定することができる。また、ローターの支軸を筐体内の壁面に軸着して、ローターの側面を玉抜き通路の内側側面として用いることができ、さらに、ローターの幅を玉半分を超える程度の幅とするとともに、ローターの支軸先端部をローターの側面を突出しない長さに抑えて、玉抜き通路の外側側面とローターの側面との間に、玉１個が通過可能な隙間を形成して玉抜き通路を設けることができる。
【０００８】
本発明のパチンコ機の玉抜き方法は、ローター及び玉導入路内に残留している玉を、玉導入路の下端部に垂設した玉抜き弁によりローターの側面方向に押し出したうえに、この玉をローターの側面を通過させて外部に排出することができるので、残留玉を完全に抜き取ることができる。
【０００９】
【発明の実施の形態】
以下に図面を参照しつつ本発明の好ましい実施形態を説明する。
図１〜６は、本発明の玉払出装置を示す図であって、筐体１は外部に取り付け用の凹部１１が形成されており、その内部の内壁面１２にはローター２が軸着されている。ローター２はモーター３によりギア３１が回転されて、ローター２の基端側側面２１に設けられたギア２２がギア３１により回転されることによりローター２は支軸２３を中心に前方に回転する。ローター２は上方の玉導入路４から玉受け凹部２４に受け入れた玉を、ローター２前方の玉払出路５に玉を払い出す。
【００１０】
玉払出路５の側面で、ローター２から玉が払い出される位置の近傍にはフォトセンサー６０が配設されており、玉が通過して光軸が遮断されることにより玉を計数して所定数の玉を払い出す。なお、モーター３の上方には、入出力コネクター３２、基板３３、コネクター３４が接続されて配設されており、モーター３と後述のフォトセンサー６０とがコネクター３４に接続されている。
【００１１】
ローター２の支軸２３先端はその側面２５から突出しない長さに抑えてあって、この側面２５を内側側面として、外部側面６１との間に玉の通過可能な隙間を形成して玉抜き通路６が設けられている。したがって、図５に示すように、外部側面６１をフォトセンサー６０の外側端部より大幅にはみ出さないように設けることができるので、筐体１の幅を狭いものとすることができる。玉抜き通路６はローター２の下方に延長されており、この延長部分はローター２上方の玉導入路４と上下位置を同一となるように設定してある。したがって、玉導入路４の前の玉通路、あるいは玉抜き通路６の後の玉通路の設計が極めて容易である。
【００１２】
玉導入路４の下端部には、玉導入路４の幅をもって設けられた外側玉抜き弁７と内側玉抜き弁８とからなる一対の玉抜き弁が垂設されている。外側玉抜き弁７は支軸７１から延設されていて玉導入路４側に平坦面７２を有し、さらに支軸７１からは回動用の係合片７３が延設されていて、外側玉抜き弁７と係合片７３とは支軸７１を中心に回動する。また、内側玉抜き弁８は支軸８１から延設されていて玉導入路４側に平坦面８２を有し、支軸８１を中心に左右に回動する。
【００１３】
そして、ローター２の上方で内側玉抜き弁８の軸着位置の下方には、支軸９１を中心に傾動する玉抜きレバー９が軸着されている。外側玉抜き弁７の横側には玉抜きレバー９位置決め用のカム部材１０が配置されていて、このカム部材１０には、円弧状の摺動面１０１と、玉抜きレバー９先端係止用の上側段差部１０２と下側段差部１０３とが設けられている。
【００１４】
玉抜きレバー９は図７に詳細を示すとおり、軸部９１から突設されたアーム９２の先端に外側玉抜き弁７を外側に押し出す外側突片９３を有し、また、軸部９１に直接設けられて内側玉抜き弁８を外側に押し出す内側突片９４を有する。さらに、外側突片９３の横側にはこの玉抜きレバー９を回動するための摘み部９５が設けられ、この摘み部９５の先には可撓性を有する係止片９６が突設されている。
【００１５】
玉を玉払出路５に送出する通常の状態を図８、９に示す。この状態において、玉抜きレバー９の先端の係止片９６は、係合片７３を上方に押し上げていて、外側玉抜き弁７を下方に向けた垂直姿勢に保持しているが、係止片９６はカム部材１０の上側段差部１０２に係止されているので、外側玉抜き弁７は垂直に下方に向けてロックされている。この状態では外側玉抜き弁７の下端と、ローター２の側面２５の上端との間は、玉１個分よりも小さい隙間となっていて、玉抜き通路６の入り口が閉鎖されて、玉導入路４と玉払出路５とが連通しているので、玉はローター２の玉受け凹部２４に流れ込み、このローター２の回転により玉が玉払出路５に送出される。
【００１６】
玉の払い出しを終えてローター２の回転が停止された時には、ローター２の玉受け凹部２４や、ローター２上方の玉導入路４内に玉が存在している。メンテナンスや新台入れ替えなどにより残留している玉を抜くときには、図１０、１１に示すように、玉抜きレバー９を摘み部９５を摘んで水平状に前倒する。前倒によって玉抜きレバー９の係止片９６はカム部材１０の円弧状の摺動面１０１上を摺動して下側段差部１０３に嵌め込まれてロックされ、外側玉抜き弁７の平坦面７２が外側突片９３により押圧されて、外側玉抜き弁７が外側に押し出されるので、玉抜き通路６の入口が開放される。これとともに、内側玉抜き弁８は内側突片９４により押し出されて玉払出路５の入口は閉鎖される。ローター２の玉受け凹部２４に残存する玉、及びこの玉に後続して玉導入路４に残存する玉は、内側玉抜き弁８によりローター２の側面２５方向に押し出されて、玉は玉抜き通路６を流下して外部に排出される。
【００１７】
摘み部９５を摘んで玉抜きレバー９を起立させて、外側玉抜き弁７と内側玉抜き弁８とを退却させれば、玉を玉払出路５に送り出す図８、９に示した元の状態に切替えることができる。
【００１８】
【発明の効果】
以上に説明したように、本発明は、ローター及び玉導入路内に残留している玉を、玉導入路の下端部に垂設た玉抜き弁によりローターの側面方向に押し出したうえに、この玉をローターの側面に設けた玉抜き通路を通過させて外部に排出することができる。また、本発明の玉払出装置は、玉導入路の下端部の側面に一対の玉抜き弁を対向させて垂設するとともに、該玉抜き弁をローターの側面方向に押し出すための玉抜きレバーを設けたので、玉抜きレバーを前倒して玉抜き弁を押出し玉導入路と玉抜き通路とが連通する状態と、玉抜きレバーを起立して玉抜き弁を退却させ玉導入路と玉払出路とが連通する状態とに自在に切替えることができる。また、一対の玉抜き弁を一つの玉抜きレバーで連動操作できるようにしたので、玉導入路と玉抜き通路又は玉払出路とを連通させるに必要な側の玉抜き弁を、玉抜きレバーを係止させて確実にロックすることができる。また、ローターの支軸を筐体内の壁面に軸着して、ローターの側面を玉抜き通路の内側側面として用いたので筐体の幅を小さいものとすることができる。さらに、ローターの幅を玉半分を超える程度の幅とするとともに、ローターの支軸先端部をローターの側面を突出しない長さに抑えて、玉抜き通路の外側側面とローターの側面との間に、玉１個が通過可能な隙間を形成することによって、玉抜き通路を設けることができる。
したがって、本発明は、ローターや玉導入路に玉を残すことなく完全に抜き取ることができるという大きな利点を有する。
【図面の簡単な説明】
【図１】玉払出装置の正面の断面図である。
【図２】図１のＡ−Ａ部における断面図である。
【図３】図１のＢ−Ｂ部における断面図である。
【図４】図１のＣ−Ｃ部における断面図である。
【図５】図１のＤ−Ｄ部における断面図である。
【図６】図１のＥ−Ｅ部における断面図である。
【図７】玉抜きレバーの正面図と側面図である。
【図８】玉抜き通路が閉鎖された状態の玉払出装置の正面図である。
【図９】玉を玉払出路に送出する状態を示す玉払出装置の正面図である。
【図１０】玉抜き通路が開放された状態の玉払出装置の正面図である。
【図１１】玉を玉抜き通路に排出する状態を示す玉払出装置の正面図である。
【符号の説明】
２　ローター
２５　ローターの側面
４　玉導入路
５　玉払出路
６　玉抜き通路
７　外側玉抜き弁
８　内側玉抜き弁
９　玉抜きレバー
【図１】
2004097539.tif 000003
【図２】
2004097539.tif 000004
【図３】
2004097539.tif 000005
【図４】
2004097539.tif 000006
【図５】
2004097539.tif 000007
【図６】
2004097539.tif 000008
【図７】
2004097539.tif 000009
【図８】
2004097539.tif 000010
【図９】
2004097539.tif 000011
【図１０】
2004097539.tif 000012
【図１１】
2004097539.tif 000013